(57)【特許請求の範囲】
【請求項１】
撮像レンズを備えた本体部に表示装置が取り付けられた撮像装置において、
前記表示装置は、
前記本体部の背面側の上端縁部に対向して固定された一対の蝶板にほぼ直角に折り曲げられた両端部を軸支されて第１回転軸の回りに回転するヒンジ回転部材と、前記第１回転軸の周囲を回転する前記ヒンジ回転部材の中央部に設けられ前記第１回転軸と直角な方向の第２回転軸の回りに回転する回転軸部材と、を介して前記本体部に取り付けられて、前記ヒンジ回転部材によって前記本体部の背面位置から上方へ約１８０度の角度範囲内で任意の回転角度位置で停止可能に回転可能とされ、かつ前記回転軸部材によって２７０度以上の角度範囲内で任意の回転角度位置で停止可能に回転可能とされており、
前記ヒンジ回転部材の前記両端部の一方の軸支持部材と前記回転軸部材とは中空パイプ状とされており、前記表示装置の配線が前記回転軸部材と前記軸支持部材との内部を経由して前記本体部へ導入され、
前記回転軸部材による前記表示装置の回転の途中に、前記回転軸部材に固定されたクリック板に設けられている小孔と、前記ヒンジ回転部材に固定された環状のフリクションバネに設けられている小突起との係合によるクリック点が形成されている
ことを特徴とする撮像装置。
【請求項２】
前記ヒンジ回転部材の折り曲げられた他方の端部には前記ヒンジ回転部材の回転と共に回転する軸が取り付けられて前記蝶板に軸支されており、前記蝶板の外側に前記表示装置の表示画面の上下を反転させるためのスイッチをオンオフさせる反転カムが取り付けられている
ことを特徴とする請求項１に記載の撮像装置。
【請求項３】
前記回転軸部材および前記軸支持部材がプレスの深絞り加工による管状成形品であり、前記ヒンジ回転部材または前記蝶板を挿通させた先端部が径を拡大されて外周側の部材にカシメ留めされている
ことを特徴とする請求項１に記載の撮像装置。
【請求項４】
前記ヒンジ回転部材の裏面側にプレスの半抜き加工による突起状のストッパが形成されており、かつ、前記回転軸部材が前記ヒンジ回転部材を挿通された先端部にストッパー当接板が固定されており、前記回転軸部材が所定の角度回転されると前記ストッパー当接板が前記ストッパーに当接して回転が停止されることにより回転角度が制限されている
ことを特徴とする請求項１に記載の撮像装置。
【請求項５】
撮像レンズを備えた本体部に表示装置が取り付けられた撮像装置において、
前記表示装置は、
前記本体部の背面側の上端縁部に対向して固定された一対の蝶板にほぼ直角に折り曲げられた両端部を軸支されて第１回転軸の回りに回転するヒンジ回転部材と、前記第１回転軸の周囲を回転する前記ヒンジ回転部材の中央部に設けられ前記第１回転軸と直角な方向の第２回転軸の回りに回転する回転軸部材と、を介して前記本体部に取り付けられて、前記ヒンジ回転部材によって前記本体部の背面位置から上方へ約１８０度の角度範囲内で任意の回転角度位置で停止可能に回転可能とされ、かつ前記回転軸部材によって２７０度以上の角度範囲内で任意の回転角度位置で停止可能に回転可能とされており、
前記ヒンジ回転部材の前記両端部の一方の軸支持部材と前記回転軸部材とは中空パイプ状とされており、前記表示装置の配線が前記回転軸部材と前記軸支持部材との内部を経由して前記本体部へ導入され、
前記回転軸部材および前記軸支持部材がプレスの深絞り加工による管状成形品であり、前記ヒンジ回転部材または前記蝶板を挿通させた先端部が径を拡大されて外周側の部材にカシメ留めされている
ことを特徴とする撮像装置。
【請求項６】
撮像レンズを備えた本体部に表示装置が取り付けられた撮像装置において、
前記表示装置は、
前記本体部の背面側の上端縁部に対向して固定された一対の蝶板にほぼ直角に折り曲げられた両端部を軸支されて第１回転軸の回りに回転するヒンジ回転部材と、前記第１回転軸の周囲を回転する前記ヒンジ回転部材の中央部に設けられ前記第１回転軸と直角な方向の第２回転軸の回りに回転する回転軸部材と、を介して前記本体部に取り付けられて、前記ヒンジ回転部材によって前記本体部の背面位置から上方へ約１８０度の角度範囲内で任意の回転角度位置で停止可能に回転可能とされ、かつ前記回転軸部材によって２７０度以上の角度範囲内で任意の回転角度位置で停止可能に回転可能とされており、
前記ヒンジ回転部材の前記両端部の一方の軸支持部材と前記回転軸部材とは中空パイプ状とされており、前記表示装置の配線が前記回転軸部材と前記軸支持部材との内部を経由して前記本体部へ導入され、
前記ヒンジ回転部材の裏面側にプレスの半抜き加工による突起状のストッパが形成されており、かつ、前記回転軸部材が前記ヒンジ回転部材を挿通された先端部にストッパー当接板が固定されており、前記回転軸部材が所定の角度回転されると前記ストッパー当接板が前記ストッパーに当接して回転が停止されることにより回転角度が制限されている
ことを特徴とする撮像装置。
【発明の詳細な説明】
【０００１】
【発明の属する技術分野】
本発明は表示装置を備えた撮像装置に関するものであり、更に詳しくは、ローアングル、ハイアングル、その他の広い撮像角度において、表示装置を見易い位置に回転させることができる撮像装置に関するものである。
【０００２】
【従来の技術】
例えば液晶表示板等による表示装置を備えたデジタル方式のショットカメラやビデオカメラにおいては、表示装置は撮影時におけるファインダーとして使用されている場合が多い。従って、上記のショットカメラやビデオカメラで被写体を撮影する場合には、ローアングル、ハイアングル、その他どの様な撮影角度であっても表示装置の表示画面は常に撮影者が見易い向きに回動し得るものであることが望ましい。またビデオカメラにあっては、表示装置を撮像の再生に使用する場合にも、表示画面が見易い向きに回動し得るものであることが望まれる。
【０００３】
そのために、例えば、特開平９−１６３１９１号公報には、図１１に示すように、長方形状のヒンジ部材７０の対向する一方のピン７１によるヒンジ部７０Ａに撮像表示装置７５が回動自在に支持され、他方のピン７２によるヒンジ部７０Ｂに本体部７３が回動自在に支持されており、表示装置７５が位置し得る本体部７３の背面位置と、その位置から一方のヒンジ部７０Ｂを軸にして１８０度回転させた直上位置との間において、表示装置７５を他方のヒンジ部７０Ａによって回転させることのできるビデオカメラが開示されている。また、特開２０００−１３６５１号公報には、図１２に示すように、２本のヒンジアーム８５、８８がピン９３、９４による一端部の第２回転軸によってビデオカメラ本体８４に回動自在に保持され、ピン９１、９２による他端部の第１回転軸によって表示装置８１が回動自在に軸支されている。表示装置８１が表示面を外側に向けたビデオカメラ本体８４の背面位置と、その位置からピン９３、９４の第２回転軸によって表示装置８１を１８０度回転させた上方位置との間において、表示装置８１をピン９１、９２による第１回転軸の回りに回転させることのできるビデオカメラが開示されている。
【０００４】
【発明が解決しようとする課題】
特開平９−１６３１９１号、特開２０００−１３６５１号の公報に開示されているビデオカメラは何れも被写体へ向かって本体の長手方向を横に向けるビデオカメラであり、その表示装置は本体の背面位置から長方形状の表示装置の上側または下側の横方向の回転軸によって回転されるものであり、表示装置を本体と直角な方向に向ける回転軸は持っていない。なお、現在市販されている被写体へ向かって本体の長手方向を向けるビデオカメラの表示装置は本体の側面側に設けた表示装置を、その前側に設けられた上下方向の回転軸によって前方へ９０度開き、その位置で２７０度回転するものが多い。そして、これらに使用される回転軸の構成部品は機械加工によって製作されており、その加工コストは大であり製造コストを増大させている。
本発明は上述の問題に鑑みてなされ、広い角度範囲からの撮影に際しても、表示装置の表示画面が見易い向きに回動される撮像装置を提供すること、更には表示装置を回動させるヒンジないしは回動軸が可及的にプレス加工によって低コストで製作された撮像装置を提供することを課題とする。
【０００５】
【課題を解決するための手段】
本発明の撮像装置は、撮像レンズを備えた本体部に取り付けられた表示装置を備え、この表示装置は、本体部の背面側の上端縁部に対向して固定された一対の蝶板にほぼ直角に折り曲げられた両端部を軸支されて第１回転軸の回りに回転するヒンジ回転部材と、第１回転軸の周囲を回転するヒンジ回転部材の中央部に設けられ第１回転軸と直角な方向の第２回転軸の回りに回転する回転軸部材とを介して本体部に取り付けられて、ヒンジ回転部材によって本体部の背面位置から上方へ約１８０度の角度範囲内で任意の回転角度位置で停止可能に回転可能とされ、かつ回転軸部材によって２７０度以上の角度範囲内で任意の回転角度位置で停止可能に回転可能とされており、
ヒンジ回転部材の両端部の一方の軸支持部材と回転軸部材とは中空パイプ状とされており、表示装置の配線が回転軸部材と軸支持部材との内部を経由して本体部へ導入され、
回転軸部材による表示装置の回転の途中に、回転軸部材に固定されたクリック板に設けられている小孔と、ヒンジ回転部材に固定された環状のフリクションバネに設けられている小突起との係合によるクリック点が形成されていることを特徴としている。
【０００６】
また、本発明の撮像装置は、撮像レンズを備えた本体部に取り付けられた表示装置を備え、この表示装置は、本体部の背面側の上端縁部に対向して固定された一対の蝶板にほぼ直角に折り曲げられた両端部を軸支されて第１回転軸の回りに回転するヒンジ回転部材と、第１回転軸の周囲を回転するヒンジ回転部材の中央部に設けられ第１回転軸と直角な方向の第２回転軸の回りに回転する回転軸部材とを介して本体部に取り付けられて、ヒンジ回転部材によって本体部の背面位置から上方へ約１８０度の角度範囲内で任意の回転角度位置で停止可能に回転可能とされ、かつ回転軸部材によって２７０度以上の角度範囲内で任意の回転角度位置で停止可能に回転可能とされており、
ヒンジ回転部材の両端部の一方の軸支持部材と回転軸部材とは中空パイプ状とされており、表示装置の配線が回転軸部材と軸支持部材との内部を経由して本体部へ導入され、
回転軸部材および軸支持部材がプレスの深絞り加工による管状成形品であり、ヒンジ回転部材または蝶板を挿通させた先端部が径を拡大されて外周側の部材にカシメ留めされていることを特徴としている。
【０００７】
また、本発明の撮像装置は、撮像レンズを備えた本体部に取り付けられた表示装置を備え、この表示装置は、本体部の背面側の上端縁部に対向して固定された一対の蝶板にほぼ直角に折り曲げられた両端部を軸支されて第１回転軸の回りに回転するヒンジ回転部材と、第１回転軸の周囲を回転するヒンジ回転部材の中央部に設けられ第１回転軸と直角な方向の第２回転軸の回りに回転する回転軸部材とを介して本体部に取り付けられて、ヒンジ回転部材によって本体部の背面位置から上方へ約１８０度の角度範囲内で任意の回転角度位置で停止可能に回転可能とされ、かつ回転軸部材によって２７０度以上の角度範囲内で任意の回転角度位置で停止可能に回転可能とされており、
ヒンジ回転部材の両端部の一方の軸支持部材と回転軸部材とは中空パイプ状とされており、表示装置の配線が回転軸部材と軸支持部材との内部を経由して本体部へ導入され、
ヒンジ回転部材の裏面側にプレスの半抜き加工による突起状のストッパが形成されており、かつ、回転軸部材がヒンジ回転部材を挿通された先端部にストッパー当接板が固定されており、回転軸部材が所定の角度回転されるとストッパー当接板がストッパーに当接して回転が停止されることにより回転角度が制限されていることを特徴としている。
【０００８】
このような撮像装置は、非撮影時には表示装置の表示画面を本体部の背面側に面して収容することができ、その位置からヒンジ回転部材によって上方へ回転させて、表示画面を撮影者側に向けた上方位置とすることができ、その間、回転軸部材によって表示画面を時計方向および反時計方向へ回転させることが可能で表示画面を被写体側へ向けさせることができる。更に被写体側へ向いた表示画面をヒンジ回転部材によって下方へ回転させることにより表示画面を本体部の背面位置で撮影者側へ向けることもできる。
また、表示装置が本体部の背面側の上端縁部に設けられたヒンジ回転部材によって本体部の背面位置から上方へ約１８０度の角度範囲内で回転可能とされ、かつ回転軸部材によって２７０度以上の角度範囲内で回転可能とされており、更にヒンジ回転部材および回転軸部材による回転がそれぞれ任意の回転角度位置で停止可能とされているので、ローアングル、ハイアングルを含む広い撮影角度において、ヒンジ回転部材および回転軸部材によって表示装置の表示画面を見易い角度に向けて撮影することを可能にする。
また、ヒンジ回転部材がほぼ直角に折り曲げられた両端部で軸支されて、ヒンジ回転部材の中央部は第１回転軸の周囲を回転するものとされ、かつ両端部の一方の軸支持部材と回転軸部材とが中空パイプ状とされており、表示装置の配線が回転軸部材と軸支持部材との内部を経由して前記本体部へ導入されているので、表示装置から本体部までの配線が大きい変形を受けず損傷や断線の怖れがない。
また、回転軸部材による表示装置の回転の途中に、回転軸部材に固定されたクリック板に設けられている小孔と、ヒンジ回転部材に固定された環状のフリクションバネに設けられている小突起との係合によるクリック点が設けられているので、表示装置の使用頻度の高い回転角度にクリック位置を設定して撮影を容易化させ、かつクリック位置の設定は製造コストを殆ど増大させない。
また、回転軸部材および軸支持部材がプレスの深絞り加工による管状成形品であり、ヒンジ回転部材または蝶板を挿通させた先端部が径を拡大されて外周側の部材にカシメ留めされている構成では、回転軸部材が切削加工品やダイキャスト品と比較して低コストであり、またその抜け防止に従来のように留め輪を使用するのではなく、管の端末の径を拡大させるカシメ留めを採用しているので製造コストを増大させない。
また、ヒンジ回転部材の裏面側にプレスの半抜き加工による突起状のストッパーが形成されており、かつ、回転軸部材がヒンジ回転部材を挿通された先端部にストッパー当接板が固定されており、回転軸部材が所定の角度回転されるとストッパー当接板がストッパーに当接して回転が停止されることにより回転角度が制限されている構成では、破損し易いピンによるストッパ−や高価なダイキャスト品の回転軸部材に設けられるストッパ−と比較して、低コストで信頼性のあるストッパ−が得られ、回転軸部材が必要以上の角度に回転されて表示装置と本体部との間の配線が損傷することを防ぐ。
さらに、ヒンジ回転部材の折り曲げられた他方の端部にヒンジ回転部材と共に回転する軸を蝶板に軸支されるように設けて、その蝶板の外側に表示装置の表示画面の上下を反転させるためのスイッチをオンオフさせる反転カムを取り付ければ、表示装置が回転されその表示画面の像の上下が逆になる場合に上下を反転させて正規な像とする。
【０００９】
【発明の実施の形態】
表示装置のヒンジ回転部材の取り付け位置となる蝶板の取り付け位置は、撮像装置の本体部の背面側の四周上における上端縁部であるので撮影操作性が良い。
【００１０】
ヒンジ回転部材はほぼ直角に折り曲げられた両端部を蝶板に軸支されて第１回転軸の回りに回転し、第１回転軸と直角な方向の第２回転軸の回りに回転する回転軸部材が設けられたヒンジ回転部材の中央部は第１回転軸の周囲を回転する。これは、ヒンジ回転部材の中央部の回転軸部材に取り付けられる表示装置の配線を本体部へ導く場合、ヒンジ回転部の中央部と本体部との間に得られる空間を通すことができ、配線が過度に変形されることを防ぎ得るからである。
【００１１】
表示装置はヒンジ回転部材が本体部の背面側の上端縁部にあって、第１回転軸の回りに回転される場合、本体部の背面位置にある表示装置は上方へ約１８０度の角度範囲に回転されるが、それ以上の回転角度は必要でない。また、ヒンジ回転部材の中央部において第１回転軸と直角な方向の第２回転軸の回りに回転する回転軸部材は２７０度以上の角度で回転されるが、３６０度を超える角度は不要であり、また逆にフリー回転して表示装置の表示画面と本体部とを接続する配線が切断することを避けるために、２７０度強の角度を超えて回転しないように回転のストッパーを設けることが望ましい。
【００１２】
ヒンジ回転部材および回転軸部材による回転は任意の回転角度位置で停止可能なように環状のフリクションバネが組み込まれるが、更には回転軸部材による表示装置の回転の途中の使用頻度の高い回転角度にクリック位置を設けることによって撮影が更に容易化される。クリック位置はどのようにして設定してもよいが、回転軸部材に組み込まれるフリクションバネに設けた突起と、フリクションバネに隣接して組み込まれる環状のクリック板に設けた小孔とを係合させることによって簡易に形成し得る。
【００１３】
ヒンジ回転部材は高価なダイキャスト品を避けて、低コストの板金のプレス加工品とすることが好ましいが、更にはヒンジ回転部材にプレスの半抜き加工を施して回転軸部材の回転ストッパーを低コストで形成させることができる。また回転軸部材または同等の部材も低コスト化し得るプレスの深絞り加工による管状成形品とすることが望ましく、更にはヒンジ回転部等に挿通させた後の回転軸部材の抜け防止には管状成形品の端末を拡径させてカシメ留めすることにより一層の低コスト化を図り得る。
【００１４】
【実施例】
以下、本発明の撮像装置を実施例のデジタル式ショットカメラによって図面を参照し具体的に説明する。
【００１５】
（実施例１）
図１はデジタル方式ショットカメラ１の斜め後方からの斜視図であり、表示装置であるモニターブロック２がショットカメラ１のレンズ部７および内部に記録手段を備えた本体８の背面位置で液晶表示板２１を内側に向けている状態を示す。この状態においてモニターブロック２は、合成樹脂の内部に埋め込まれて図示されない取付け部材３を介して本体８に取り付けられている。図２は裸の取付け部材３の斜視図、図３は裸の取付け部材３の正面図であり、モニターブロック２が図１に示す状態にある時の取付け部材３を撮影者側から透視した場合の形状に相当する。また、図４は図３における［４］−［４］線方向の端面図、図５は図３における［５］−［５］線方向の側面図、図６は図３における［６］−［６］線方向の側面図である。
【００１６】
図３、図４に示すように、ヒンジ固定板４１は背面部４１ａと上面部４１ｂとからなるが、このヒンジ固定板４１がショットカメラ１の背面側の上端縁部に埋め込まれて固定され、ヒンジ固定板４１に設けられている一対の対向する蝶板４にヒンジ回転部材５の両端部が軸支されている。図３に示すように、ヒンジ回転部材５は両端部がほぼ直角に折り曲げられており、折り曲げられた両端部５ｂで軸支されている。図３において折り曲げられた左側端部５ｂには切削加工による鍔５１’付きのヒンジ回転軸５１Ｌが固定されており、左側の蝶板４に軸支されてヒンジ回転部材５と共に回転する。すなわち、左側の蝶板４の外側から挿入される鍔付きヒンジ回転軸５１Ｌはヒンジ回転部材５の左側端部５ｂの右側に出る先端部が留め輪５３によって抜け防止されており、鍔５１’の左側には、モニターブロック２が回転され画像の上下が逆になる時に表示画面の上下を反転させるためのスイッチをオン・オフさせる反転カム５４が嵌合されている。
【００１７】
他方、ヒンジ回転部材５の折り曲げられた右側端部５ｂは右側の蝶板４に固定されている中空軸５１Ｒに支持されて回転する。すなわち、中空軸５１Ｒは、板金をプレスの深絞り加工して得られる管状成形品がヒンジ回転部材５の右側端部５ｂの方から挿入されて右側の蝶板４を挿通しており、蝶板４の外側へ出る管状成形品の先端部が拡径されて蝶板４にカシメ留めされて形成されている。また、右側の蝶板４とヒンジ回転部材５の右側端部５ｂとの間には中空軸５１Ｒにワッシャ−５２が嵌め込まれている。
【００１８】
そして、ヒンジ回転軸５１Ｌと中空軸５１Ｒの中心軸を結んで第１回転軸Ｘが形成され、図４に示すように、ヒンジ回転部材５は第１回転軸Ｘの周囲を、実線で示す位置から一点鎖線で示す位置を経由し二点鎖線で示す位置に至るまでの約１８０度の角度範囲内を回転され、モニターブロック２はカメラ本体８の背面位置から上方位置となる。なお、この回転の途中の任意の角度でモニターブロック２を停止させ得るように、図３参照して、ヒンジ回転部材５の左側端部５ｂと左側の蝶板４との間には２枚の皿バネ５５が嵌め込まれている。
【００１９】
更には、図２、図３に示すように、ヒンジ回転部材５の中央部には第１回転軸Ｘとは直角な方向の第２回転軸Ｙの回りに回転する回転軸部材６が取り付けられている。この回転軸部材６は板金をプレスの深絞り加工して得られる管状成形品であり、その一端部にはモニターブロック２を取り付ける座板６１とクリック板６２とが一体的に固定されており、クリック板６２がヒンジ回転部材５と一体的なフリクションバネ６３に当接して回転するようになっている。そして座板６１、クリック板６２、フリクションバネ６３は共に回転軸部材６の外周に嵌め合わされている。また、ヒンジ回転部材５を挿通させた回転軸部材６の他端部には、図２、図６に示すように、環状のロック板６４が外周側に留め輪的に固定されており、そのロック板６４に回転軸部材６の他端部が拡径されてカシメ留めされている。すなわち、回転軸部材６は一端部の座板６１から他端部まで貫通穴が形成されている。
【００２０】
加えて、図２、図６に示すロック板６４の張出し部６４ａは回転軸部材６と共に左右に回転されるが、ヒンジ固定板４１にはプレスの半抜き加工によって突起状にストッパー５９が形成されており、張出し部６４ａがストッパー５９に当接することにより回転角度が制限されている。すなわち、張出し部６４ａの中心角とストッパー５９の中心角との和と全周３６０度との差が回転軸部材６の回転可能な角度範囲となり、図５に示すように、回転軸部材６の座板６１はモニターブロック２と共に２７０度の角度範囲内で自在に回転される。そして、その回転は図３に示したフリクションバネ６３によって任意の角度位置で停止可能とされており、更には、フリクションバネ６３に設けた小突起とクリック板６２に設けた小孔との係合によるクリック点が回転角度９０度を単位として設定されている。そして図示せずとも、モニターブロック２の表示用液晶板２１の配線は回転軸部材６の貫通穴から、ヒンジ回転部材５の図３において右側の中空軸５１Ｒの貫通穴を経由してカメラ本体内に導かれている。
【００２１】
実施例１のショットカメラ１は、上述したように、ヒンジ回転部材５と回転軸部材６とが組み合わされた取付け部材３によってショットカメラ１の本体８にモニターブロック２が取り付けられているが、そのことに基づくショットカメラ１の作用を以下に説明する。すなわち、ショットカメラ１はヒンジ回転部材５による第１回転軸Ｘの周囲の回転と、回転軸部材６による第２回転軸Ｙの回りの回転を利用し、ローアングル、ハイアングル、その他の広い撮影角度においてモニターブロック２の表示液晶画面２１を撮影者が見易い角度位置に向けて撮影することができる。
【００２２】
前述したように、図１はショットカメラ１を斜め後方から見た斜視図であり、モニターブロック２が表示用液晶板２１を本体８の背面側に向けてたたまれている携帯時、非撮影時の状態を示し、表示用液晶板２１が汚れたり傷を受けることが防がれる。
図７は、モニターブロック２が図１の位置からヒンジ回転部材５によって上方へ１８０度回転され表示用液晶板２１が撮影者側へ向いている状態を示す。その回転の途中の任意の角度で停止させることにより、ショットカメラ１を頭上へ持ち上げ撮影者は表示用液晶板２１を見上げて撮影する、いわゆる、ハイアングルの撮影が可能である。また、図７の状態でショットカメラ１を縦長に持っての縦位置での撮影をすることができる。
【００２３】
図８は、モニターブロック２が回転軸部材６によって図７の位置から右側を前方へ押し出すように、すなわち上から見て反時計方向に９０度回転され、表示用液晶板２１が撮影者の右側を向いている状態を示す。この回転位置において表示用液晶板２１を撮影者側に向けると撮影者は正面を向いて自身の右側を撮影することができる。また、その回転の途中で停止させることにより、ショットカメラ１を縦位置に持って下方に構える縦位置のローアングル撮影が可能である。
図９は、モニターブロック２が回転軸部材６によって図７の位置から左側を前方へ押し出すように、すなわち上から見て時計方向に９０度を超えて１８０度まで回転され、表示用液晶板２１が前方を向いている状態を示す。この状態において、撮影者は表示用液晶板２１を自身の方へ向けてモニタリングしながら自分自身を撮影することができる。また、その途中の時計方向への９０度の回転は上記の反時計方向への９０度の回転と対称的であるから、撮影者は正面を向いて自身の左側を撮影することができ、９０度までの途中ではショットカメラ１を縦位置に持って頭上に構える縦位置のハイアングル撮影が可能である。
【００２４】
図１０は、モニターブロック２が図９の位置からヒンジ回転部材５によって下方へ１８０度回転され、表示用液晶板２１を撮影者側に向けてモニターブロック２がカメラ本体の背面側にたたまれた状態を示す。すなわち、図１の状態とは表示用液晶板２１の向きが逆になっており、一般的な撮影はこの状態で行われる。また図９の状態から下方へ９０度回転されるまでの途中では表示用液晶板２１が上向きになるので、ショットカメラ１を下方に構え表示用液晶板２１を見ながら撮影するローアングル撮影が可能である。
【００２５】
更には、表示用液晶板２１の配線が回転軸部材６の貫通穴とヒンジ回転部材５の中空軸５１Ｒの貫通穴を通されて保護されていること、回転軸部材６のロック板６４とそのストッパー５９とによってモニターブロック２の不必要な回転を制限していることによって、上述のように広い撮影角度において表示用液晶板２１の向きを撮影者に見易いように替えることを可能にしながら、配線が断線するようなトラブルが回避されている。
【００２６】
実施例のデジタル方式のショットカメラ１は以上のように構成され作用するが、勿論、本発明はこれに限られることなく、本発明の技術的思想に基づいて種々の変形が可能である。
【００２７】
例えば実施例においては、カメラ８本体の背面側の上端縁部に埋め込んで固定した取付け部材３を介してモニターブロック２を取り付けたが、取付部材３はカメラ本体の背面側の下端縁部に固定するようにしてもよく、また背面側の左端縁部または右端縁部に取り付けてもよく、同様な効果が得られる。
また実施例においては、ヒンジ固定板４１と一体的に設けられた対向する２個の蝶板４にヒンジ回転部材５を軸支させたが、２個の蝶板４はそれぞれ別個にカメラ本体に取り付けてもよく、同様な効果が得られる。
【００２８】
また実施例においては、本発明の撮像装置として表示装置であるモニターブロック２を備えたデジタル方式のショットカメラ１を例示したが、本発明の撮像装置には、これ以外の表示装置を備えた全ての撮像装置、例えば表示装置を備えたビデオカメラも含まれる。
【００２９】
【発明の効果】
本発明の撮像装置は以上に説明したような形態で実施され、次に述べるような効果を奏する。
【００３０】
表示装置が、本体部の背面側の縁部に対向して固定された一対の蝶板に軸支され第１回転軸の回りに回転するヒンジ回転部材と、当該ヒンジ回転部材の中央部に設けられ第１回転軸と直角な方向の第２回転軸の回りに回転する回転軸部材とを介して本体部に取り付けられているので、撮影角度によって制限されずに表示装置の表示画面を見易い向きに回転させることが可能であり撮影を容易化させる。
【００３１】
本体部の背面側の上端縁部に設けられたヒンジ回転部材によって、表示装置の表示画面を非撮影時の本体部側へ向けた本体部の背面位置から上方へ約１８０度回転させ表示画面を撮影者側へ向けた上方位置、その位置で表示装置を回転軸部材によって水平面内で例えば１８０度回転させて表示画面を前方へ向けた位置、その位置から表示装置をヒンジ回転部材によって、下方へ約１８０度回転させ、表示画面を撮影者側に向けた本体部の背面位置を取らせることができ、かつそれらの途中の任意の回転角度で表示装置を停止させることができるので、撮像装置を縦位置、横位置にしてのローアングル、ハイアングルを含む広い撮影角度からの撮影を容易化させる。また、非撮影時に表示画面を本体部側へ向け得るので、表示画面に汚れや擦り傷が発生することを防ぎ得る。
【００３２】
蝶板に軸支されるヒンジ回転部材の両端部がほぼ直角に折り曲げられて蝶板に軸支されているので、ヒンジ回転部材の中央部は第１回転軸の周囲を回転され、かつ折り曲げられた両端部の一方の軸支持部材および表示装置が取り付けられる回転軸部材が中空パイプ状とされているので、表示装置の配線は回転軸部材内部から空間となっている第１回転軸部分を通り、軸支部材の内部を経由して本体部内へ導かれ、表示装置が回転されても配線に不必要な擦れや捩れによる損傷が回避され配線の信頼性が高められる。
【００３３】
ヒンジ回転部材の折り曲げられた他方の端部にはヒンジ回転部材の回転と共に回転する軸に表示画面の上下を反転させるためのスイッチをオン・オフさせる反転カムが取り付けられているので、ヒンジ回転部材の回転による表示画面の上下の反転が補正される。また、回転軸部材による撮像表示装置の回転の使用頻度の高い回転角度位置にクリック点を形成させたものとすることができるので、撮影の操作を簡易化させる。
【００３４】
回転軸部材や軸支部材が板金をプレスで深絞り加工した管状成形品として作製しているので低コストであり、かつその抜け防止も管状成形品の端末を拡径するカシメ留めによっているので部品点数も少なく低コストで製造される。また、ヒンジ回転部材の裏面側にプレスの半抜き加工による突起状のストッパーが形成されており、回転軸部材が所定の角度回転されると回転軸部材に取り付けたストッパー当接板が当接して回転が停止され、回転軸部材が必要以上に回転されないようになっているので、表示装置の配線が断線するようなトラブルが回避され、かつ破損され易いピンによるストッパーや、高価なダイキャスト品のヒンジ回転部材に設けられるストッパーと比較して信頼性が高く低コストのストッパーを有したものとなる。
【図面の簡単な説明】
【図１】デジタル方式のショットカメラの非撮影時における斜め後方からの斜視図である。
【図２】カメラ本体へのモニターブロックの取付け部材の斜視図である。
【図３】取付け部材の正面図である。
【図４】図３における［４］−［４］線方向の端面図である。
【図５】図３における［５］−［５］線方向の側面図である。
【図６】図３における［６］−［６］線方向の側面図である。
【図７】図１の状態からモニターブロックを上方へ１８０度回転させた場合の斜視図である。
【図８】図７の状態からモニターブロックを水平に反時計方向へ９０度回転させた場合の斜視図である。
【図９】図７の状態からモニターブロックを水平に時計方向へ１８０度回転させた場合の斜視図である。
【図１０】図９の状態からモニターブロックを下方へ１８０度回転させた場合の斜視図である。
【図１１】従来例のビデオカメラの本体と表示装置との取り付けを示す分解斜視図である。
【図１２】他の従来例のビデオカメラの本体と表示装置との取り付けを示す分解斜視図である。
【図１】
0003669244.tif 000002
【図２】
0003669244.tif 000003
【図３】
0003669244.tif 000004
【図４】
0003669244.tif 000005
【図５】
0003669244.tif 000006
【図６】
0003669244.tif 000007
【図７】
0003669244.tif 000008
【図８】
0003669244.tif 000009
【図９】
0003669244.tif 000010
【図１０】
0003669244.tif 000011
【図１１】
0003669244.tif 000012
【図１２】
0003669244.tif 000013